(57)【要約】      （修正有）【課題】介護側が精神疾患を患うリスクを低減させる介護支援プログラム、介護支援方法及び情報処理装置を提供する。【解決手段】被介護者の精神状態の傾向を示す指標を含む被介護者情報と、介護者候補の精神状態の傾向を示す指標を含む介護者情報とを参照し、前記被介護者の精神状態と前記介護者候補の精神状態の傾向の類似の度合いを示す第一の指標を算出する処理と、前記介護者情報を参照し、前記被介護者と前記介護者候補の関係の近さを示す第二の指標を算出する処理と、前記第一の指標と前記第二の指標とに基づき、複数の前記介護者候補から介護を行う介護者を選定し出力する処理と、をコンピュータに実行させる。【選択図】図１０
2019096009.tif 000002
【特許請求の範囲】
【請求項１】
被介護者の精神状態の傾向を示す指標を含む被介護者情報と、介護者候補の精神状態の傾向を示す指標を含む介護者情報とを参照し、前記被介護者の精神状態と前記介護者候補の精神状態の傾向の類似の度合いを示す第一の指標を算出する処理と、
前記介護者情報を参照し、前記被介護者と前記介護者候補の関係の近さを示す第二の指標を算出する処理と、
前記第一の指標と前記第二の指標とに基づき、複数の前記介護者候補から、介護を行う介護者を選定し、選定結果を出力する処理と、
をコンピュータに実行させる介護支援プログラム。
【請求項２】
前記介護者情報は、
前記介護者と前記被介護者との血縁関係の有無を示す情報と、前記被介護者に対する前記介護者の介護履歴を示す情報とを含み、
前記第二の指標は、
前記被介護者と前記介護者との血縁関係の有無と、前記被介護者と前記介護者との接触頻度とに基づき算出される、請求項１記載の介護支援プログラム。
【請求項３】
前記第一の指標と、前記第二の指標とを用いて、前記介護者が前記被介護者と同様の精神疾患を発症するリスクの高さを示す第三の指標を算出する処理と、
前記介護者候補の精神状態の傾向を示す指標と、前記第三の指標とに基づき、前記介護者候補毎に重み付けを行う処理と、
前記重み付けにより付与された重みに応じて、前記介護者候補に優先順位を付与する処理と、
前記優先順位に基づき、前記介護者を選定する、処理を前記コンピュータに実行させる、請求項１又は２記載の介護支援プログラム。
【請求項４】
コンピュータによる介護支援方法であって、該コンピュータが、
被介護者の精神状態の傾向を示す指標を含む被介護者情報と、介護者候補の精神状態の傾向を示す指標を含む介護者情報とを参照し、前記被介護者の精神状態と前記介護者候補の精神状態の傾向の類似の度合いを示す第一の指標を算出し、
前記介護者情報を参照し、前記被介護者と前記介護者候補の関係の近さを示す第二の指標を算出し、
前記第一の指標と前記第二の指標とに基づき、複数の前記介護者候補から、介護を行う介護者を選定し、選定結果を出力する、介護支援方法。
【請求項５】
被介護者の精神状態の傾向を示す指標を含む被介護者情報と、介護者候補の精神状態の傾向を示す指標を含む介護者情報とを参照し、前記被介護者の精神状態と前記介護者候補の精神状態の傾向の類似の度合いを示す第一の指標を算出する第一の算出部と
前記介護者情報を参照し、前記被介護者と前記介護者候補の関係の近さを示す第二の指標を算出する第二の算出部と、
前記第一の指標と前記第二の指標とに基づき、複数の前記介護者候補から、介護を行う介護者を選定し、選定結果を出力する出力部と、を有する情報処理装置。
【発明の詳細な説明】
【技術分野】
【０００１】
本発明は、介護支援プログラム、介護支援方法及び情報処理装置に関する。
【背景技術】
【０００２】
従来では、被介護者に対する介護の依頼を受け付けて、被介護者の希望時間、被介護者の居所等に応じて、介護を行う介護者を選定するシステムが知られている。
【先行技術文献】
【特許文献】
【０００３】
【特許文献１】特開２００２−０２４４９３号公報
【特許文献２】特開２００９−２３６１５８号公報
【特許文献３】特開２００１−２５０００３号公報
【特許文献４】特開２０１４−１４６１３７号公報
【特許文献５】特開２００７−０５２６１２号公報
【特許文献６】特開２００５−０５６１８８号公報
【発明の概要】
【発明が解決しようとする課題】
【０００４】
近年では、被介護者がうつ病や統合失調症等の精神疾患に罹患している場合には、患者と密接な感情の結合等が、介護者に被介護者と同様の疾患を誘発させるリスクとなり得ることが知られている。このため、被介護者が上述した精神疾患に罹患している場合には、介護者の選定において、このリスクを考慮する必要があるが、上述した従来のシステムでは考慮されていない。
【０００５】
１つの側面では、本発明は、介護側が精神疾患を患うリスクを低減させることを目的としている。
【課題を解決するための手段】
【０００６】
一つ態様では、被介護者の精神状態の傾向を示す指標を含む被介護者情報と、介護者候補の精神状態の傾向を示す指標を含む介護者情報とを参照し、前記被介護者の精神状態と前記介護者候補の精神状態の傾向の類似の度合いを示す第一の指標を算出する処理と、
前記介護者情報を参照し、前記被介護者と前記介護者候補の関係の近さを示す第二の指標を算出する処理と、前記第一の指標と前記第二の指標とに基づき、複数の前記介護者候補から、介護を行う介護者を選定し、選定結果を出力する処理と、コンピュータに実行させる介護支援プログラムである。
【０００７】
上記各処理は、上記各処理を実現する機能部、各処理を実現する手順としても良く、各処理をコンピュータに実行させるプログラムを記憶したコンピュータ読み取り可能な記憶媒体とすることもできる。
【発明の効果】
【０００８】
介護側が精神疾患を患うリスクを低減させることができる。
【図面の簡単な説明】
【０００９】
【図１】介護支援システムのシステム構成の一例を示す図である。
【図２】情報処理装置のハードウェア構成の一例を示す図である。
【図３】患者データベースの一例を示す図である。
【図４】介護者データベースの一例を示す図である。
【図５】介護支援処理部の機能を説明する図である。
【図６】精神状態算出部の処理を説明する図である。
【図７】演算結果情報の一例を示す図である。
【図８】事前処理を説明する第一のフローチャートである。
【図９】事前処理を説明する第二のフローチャートである。
【図１０】選定処理部の処理を説明するフローチャートである。
【図１１】表示例を示す第一の図である。
【図１２】表示例を示す第二の図である。
【発明を実施するための形態】
【００１０】
以下に図面を参照して実施形態について説明する。図１は、介護支援システムのシステム構成の一例を示す図である。
【００１１】
本実施形態の介護支援システム１００は、情報処理装置２００と、端末装置３００−１、３００−２と、を有する。情報処理装置２００は、端末装置３００−１、３００−２のそれぞれとネットワーク等を介して接続される。
【００１２】
介護支援システム１００において、端末装置３００−１は、例えば、介護を依頼する側の端末装置３００である。介護を依頼する側とは、例えば、被介護者となる患者本人、患者の家族、患者や患者の家族等から介護について相談を受け付けているケアマネージャ等である。つまり、端末装置３００−１は、介護を依頼する立場の利用者によって主に利用される端末装置３００である。
【００１３】
端末装置３００−２は、患者の介護を行う介護側の端末装置３００である。介護を行う介護側とは、実際に患者の介護を行う介護者である。つまり、端末装置３００−２は、介護の依頼を受けて介護を行う立場の利用者によって主に利用される端末装置３００である。尚、介護を行う立場とは、実際の介護者でなくても良く、介護者を紹介したり派遣する事業者等であっても良い。
【００１４】
本実施形態の情報処理装置２００は、患者データベース２１０と介護者データベース２２０と、介護支援処理部２３０と、を有する。
【００１５】
本実施形態の介護支援システム１００において、情報処理装置２００は、例えば、端末装置３００−１からの介護依頼を受け付けると、介護支援処理部２３０が患者データベース２１０と介護者データベース２２０を参照し、介護者を選定する。そして、情報処理装置２００は、介護者に選定されたことを端末装置３００−２に通知する。
【００１６】
ここで、本実施形態では、介護者が、被介護者と精神状態が類似しており、且つ、被介護者と近い関係である場合、介護側も精神疾患を負う可能性が高いことに着目し、被介護者と同様の精神疾患を患う可能性の低い介護者を選定する。言い換えれば、本実施形態では、介護者が、感応性妄想性障害を負う可能性を考慮して、介護者を選定する。
【００１７】
具体的には、支援処理部２３０は、被介護者がうつ病や統合失調症等の精神疾患に罹患している場合には、被介護者と介護者との精神状態の類似性と、被介護者と介護者との関係性とに基づき、被介護者と同様の疾患を患うリスクの低い介護者を選定する。
【００１８】
したがって、本実施形態によれば、介護側が精神疾患を患うリスクを低減させることができる。
【００１９】
尚、図１の例では、介護を依頼する側の端末装置を端末装置３００−１とし、介護を行う側の端末装置を端末装置３００−２としたが、これに限定されない。介護支援システム１００には、介護を依頼する側の端末装置と、介護を行う側の端末装置とのそれぞれが任意の台数含まれても良い。以下の説明では、端末装置３００−１と端末装置３００−２を区別しない場合には、端末装置３００と呼ぶ。
【００２０】
また、本実施形態では、患者データベース２１０と介護者データベース２２０とが、介護支援処理部２３０を有する情報処理装置２００に設けられるものとしたが、これに限定されない。
【００２１】
本実施形態では、例えば、患者データベース２１０と介護者データベース２２０とは、情報処理装置２００の外部の装置に設けられていても良い。
【００２２】
具体的には、介護者データベース２２０は、介護を行う側の端末装置３００−２に設けられていても良い。この場合、端末装置３００−２は、介護者を派遣する事業主の端末装置３００であっても良い。介護者を派遣する事業主や、実際に介護を行う介護者は、介護を行うと、介護の履歴を示す情報等を介護者データベース２２０に格納しても良い。
【００２３】
以下に、本実施形態の情報処理装置２００について説明する。図２は、情報処理装置のハードウェア構成の一例を示す図である。
【００２４】
本実施形態の情報処理装置２００は、それぞれバスＢで相互に接続されている入力装置２０１、出力装置２０２、ドライブ装置２０３、補助記憶装置２０４、メモリ装置２０５、演算処理装置２０６及びインターフェース装置２０７を含む。
【００２５】
入力装置２０１は、各種の情報の入力を行うための装置であり、例えばキーボードやポインティングデバイス等により実現される。出力装置２０２は、各種の情報の出力を行うためものであり、例えばディスプレイ等により実現される。インターフェース装置２０７は、ＬＡＮカード等を含み、ネットワークに接続する為に用いられる。
【００２６】
介護支援処理部２３０を実現する介護支援プログラムは、情報処理装置２００を制御する各種プログラムの少なくとも一部である。介護支援プログラムは例えば記憶媒体２０８の配布やネットワークからのダウンロード等によって提供される。介護支援プログラムを記録した記憶媒体２０８は、ＣＤ−ＲＯＭ、フレキシブルディスク、光磁気ディスク等の様に情報を光学的、電気的或いは磁気的に記録する記憶媒体、ＲＯＭ、フラッシュメモリ等の様に情報を電気的に記録する半導体メモリ等、様々なタイプの記憶媒体を用いることができる。
【００２７】
また、介護支援プログラムは、介護支援プログラムを記録した記憶媒体２０８がドライブ装置２０３にセットされると、記憶媒体２０８からドライブ装置２０３を介して補助記憶装置２０４にインストールされる。ネットワークからダウンロードされた介護支援プログラムは、インターフェース装置２０７を介して補助記憶装置２０４にインストールされる。
【００２８】
補助記憶装置２０４は、インストールされた介護支援プログラムを格納すると共に、患者データベース２１０や介護者データベース２２０等の必要なファイル、データ等を格納する。メモリ装置２０５は、情報処理装置２００の起動時に補助記憶装置２０４から介護支援プログラムを読み出して格納する。そして、演算処理装置２０６はメモリ装置２０５に格納された介護支援プログラムに従って、後述するような各種処理を実現している。
【００２９】
本実施形態の端末装置３００のハードウェア構成は、情報処理装置２００と同様であるから、説明を省略する。尚、端末装置３００は、例えば、タブレット型の端末装置や、スマートフォン等であっても良く、入力装置２０１と出力装置２０２との代わりに、タッチパネル等により実現される表示操作装置を有していても良い。
【００３０】
次に、図３及び図４を参照して、情報処理装置２００の有する各データベースについて説明する。図３及び図４に示す各データベースは、情報処理装置２００の外部の記憶装置等に設けられていても良い。また、各データベースは、情報処理装置２００に設けられる場合には、補助記憶装置２０４やメモリ装置２０５等に設けられても良い。
【００３１】
図３は、患者データベースの一例を示す図である。本実施形態の患者データベース２１０は、予め情報処理装置２００に設けられており、患者（被介護者）に関する情報が格納されている。
【００３２】
本実施形態の情報処理装置２００は、情報の項目として、患者ＩＤ、患者名、性別、地域、日付、時間帯、アンケート結果、精神状態点数を有する。患者データベース２１０では、項目「患者ＩＤ」と、その他の項目とが対応付けられている。以下の説明では、項目「患者ＩＤ」の値と、その他の項目の値とを含む情報を患者情報と呼ぶ。
【００３３】
項目「患者ＩＤ」の値は、患者を特定する識別情報である。項目「患者名」の値は、患者の氏名を示す。項目「性別」の値は、患者の性別を示す。項目「地域」の値は、患者が介護を受ける場所を示す。患者が介護を受ける場所とは、例えば、患者の居所等である。
【００３４】
項目「日付」の値は、患者が介護を受ける日を示し、項目「時間帯」の値は、患者が介護を受ける時間帯を示す。項目「日付」と項目「時間帯」の値は、端末装置３００−１から介護依頼と共に情報処理装置２００に送信され、患者データベース２１０に格納されても良い。
【００３５】
項目「アンケート結果」の値は、精神状態をチェックするための既存のアンケート等に対する患者の回答を示す。項目「アンケート結果」では、アンケートに含まれる設問毎に、回答が対応付けられている。尚、患者データベース２１０において、患者ＩＤにより特定される全ての患者が同じアンケートに回答しているものとする。アンケートの詳細は後述する。
【００３６】
項目「精神状態点数」の値は、アンケートの設問毎の回答に基づき算出される値であり、患者の精神状態を表す点数である。精神状態点数の算出の仕方は後述する。
【００３７】
尚、患者データベース２１０に含まれる情報の項目は、図３に示す項目に限定されない。患者データベース２１０には、図３に示す項目以外の項目が含まれていても良い。例えば、患者データベース２１０には、情報の項目として、患者が罹患している精神疾患の名称や、病歴等が含まれても良い。
【００３８】
次に、図４を参照して、本実施形態の介護者データベース２２０について説明する。図４は、介護者データベースの一例を示す図である。
【００３９】
本実施形態の介護者データベース２２０は、予め情報処理装置２００に設けられており、介護者に関する情報が格納される。言い換えれば、介護者データベース２２０には、介護者として選定される候補となる介護者（介護者候補）に関する情報が格納されている。
【００４０】
本実施形態の介護者データベース２２０は、情報の項目として、介護者ＩＤ、介護者名、属性、患者家族、介護履歴、アンケート結果、精神状態点数、地域、日付、時間帯、通知先を有する。介護者データベース２２０において、項目「介護者ＩＤ」とその他の項目とが対応付けられている。以下の説明では、項目「介護者ＩＤ」の値と、その他の項目の値とを含む情報を介護者情報と呼ぶ。
【００４１】
項目「介護者ＩＤ」の値は、介護者を特定する識別情報を示す。項目「介護者名」の値は、介護者の氏名を示す。
【００４２】
項目「属性」の値は、介護者と患者との関係を示す。言い換えれば、項目「属性」の値は、介護者と患者との血縁関係の有無を示す。具体的には、項目「属性」の値が、家族であった場合には、この介護者は、患者の家族であることがわかる。また、項目「属性」の値が、事業者であった場合には、この介護者は、介護事業者等に登録している介護者であり、介護者の家族ではないことがわかる。
【００４３】
項目「家族患者」の値は、介護者が患者と家族であった場合に、介護者と家族の患者を示す。図４の例では、例えば、介護者ＩＤ「１」の介護者は、患者ＡＡａａと家族であることがわかる。
【００４４】
項目「介護履歴」の値は、介護者が行った介護に関する履歴を示す情報を示す。図４の例では、項目「介護履歴」の値として、患者名、接触回数が含まれる。接触回数とは、介護者が患者の介護に携わった回数である。具体的には、例えば、介護者が患者の居所を訪問する、患者の安否を確認する、患者と会話をする、身の回りの世話する、といった行動の回数を接触回数と呼ぶ。
【００４５】
尚、項目「介護履歴」の値に含まれる情報は、図４に示す例に限定されない。項目「介護履歴」の値として含まれる情報には、例えば、介護者が患者と関わった時間の長さや、介護者が患者の身体に触れた回数等を含んでいても良い。
【００４６】
また、項目「介護履歴」の値に含まれる情報は、例えば、患者の介護を行った後に、介護者が端末装置３００−２から入力しても良い。
【００４７】
項目「アンケート結果」の値は、アンケートの設問毎に回答が対応付けられており、精神状態をチェックするための既存のアンケート等に対する患者の回答を示す。尚、介護者が回答するアンケートと、患者が回答するアンケートとは、同じものである。
【００４８】
項目「精神状態点数」の値は、介護者の精神状態を表す点数である。本実施形態では、患者の精神状態点数と介護者の精神状態点数とを、同様の方法で算出する。
【００４９】
項目「地域」の値は、介護者が介護を行うことができる場所を示す。具体的には、項目「地域」の値は、介護者が勤務可能な地域を示す。
【００５０】
項目「日付」の値は、介護者が介護を行うことができる日を示し、項目「時間帯」の値は、介護者が介護を行うことができる時間帯を示す。項目「通知先」の値は、介護者の連絡先を示す。具体的には、項目「通知先」の値は、端末装置３００−２のメールアドレスや電話番号等である。
【００５１】
次に、図５を参照して、本実施形態の介護支援処理部２３０の機能について説明する。図５は、介護支援処理部の説明する図である。
【００５２】
本実施形態の介護支援処理部２３０は、演算処理装置２０６がメモリ装置２０５等に格納された介護支援プログラムを読み出して実行することで実現される。
【００５３】
本実施形態の介護支援処理部２３０は、介護の依頼を受け付ける前の事前処理を行う事前処理部２４０と、介護の依頼を受け付けて介護者の選定処理を行う選定処理部２５０と、を有する。
【００５４】
本実施形態の事前処理部２４０は、患者情報収集部２４１、介護者情報収集部２４２、精神状態算出部２４３を有する。
【００５５】
患者情報収集部２４１は、患者に関する情報の入力を受けて、患者データベース２１０に、入力された情報を患者情報として格納する。患者に関する情報は、例えば、患者ＩＤ、患者名、性別、地域等の患者情報の一部であり、端末装置３００から入力されても良い。また、患者情報収集部２４１は、る。患者情報収集部２４１は、患者に関する情報が入力されると、患者毎のアンケートを実施させ、その結果を収集し、患者情報の一部として、患者データベース２１０に格納する。
【００５６】
介護者情報収集部２４２は、介護者に関する情報の入力を受け付けて、介護者データベース２２０に、入力された情報を介護者情報として格納する。介護者に関する情報は、例えば、介護者ＩＤ、介護者名、属性、家族患者、地域等の介護者情報の一部であり、端末装置３００から入力されても良い。また、介護者情報収集部２４２は、介護者に関する情報が入力されると、介護者毎にアンケートを実施し、その結果を介護者情報の一部として介護者データベース２２０に格納する。本実施形態のアンケートの詳細は、後述する。
【００５７】
精神状態算出部２４３は、患者情報収集部２４１により収集された患者毎のアンケート結果に基づき、患者毎の精神状態点数を算出し、患者データベース２１０に格納する。また、精神状態算出部２４３は、介護者情報収集部２４２により収集された介護者毎のアンケート結果に基づき、介護者毎の精神状態点数を算出し、介護者データベース２２０に格納する。
【００５８】
本実施形態の選定処理部２５０は、入力受付部２５１、介護者抽出部２５２、類似性算出部２５３、近親性取得部２５４、リスク係数算出部２５５、重み付け点数算出部２５６、優先順位付与部２５７、候補選定部２５８、問い合わせ部２５９、選定結果出力部２６０を有する。
【００５９】
本実施形態の入力受付部２５１は、端末装置３００−１からの介護の依頼を受け付ける。尚、介護の依頼とは、介護者の選定要求である。介護者の選定要求には、被介護者となる患者の患者ＩＤ又は患者名と、患者が介護を受ける地域と、日付と、時間帯とが含まれる。
【００６０】
また、入力受付部２５１は、端末装置３００−２からの問い合わせに対する回答を受け付ける。
【００６１】
介護者抽出部２５２は、介護者の選定要求を受けると、介護者データベース２２０を参照して、選定要求に含まれる地域、日付、時間帯から、介護が可能とされる介護者の介護者情報を抽出する。
【００６２】
類似性算出部２５３は、抽出された介護者情報に含まれる精神状態点数と、介護者の選定依頼により特定された患者の患者情報に含まれる精神状態点数とから、両者の精神状態の類似性を示す値を算出する。
【００６３】
近親性取得部２５４は、抽出された介護者情報に含まれる属性と、接触回数とに基づき、介護者と患者との関係の近さを示す値を取得する。
【００６４】
リスク係数算出部２５５は、精神状態の類似性を示す値と、介護者と患者との関係の近さを示す値と、に基づき、介護者が患者と同様の精神疾患に罹患する可能性を示す指標を介護者毎に算出する。以下の説明では、リスク係数算出部２５５により算出される、介護者が患者と同様の精神疾患に罹患する可能性を示す指標を、リスク係数と呼ぶ。
【００６５】
重み付け点数算出部２５６は、介護者毎のリスク係数に対し、介護者が患者と同様の精神疾患に罹患する可能性が高いほど値が大きくなるように、重み付けを行った点数を算出する。
【００６６】
優先順位付与部２５７は、重み付け点数算出部２５６により算出された点数が小さい介護者から順に、優先順位を付与する。つまり、優先順位付与部２５７は、介護者が患者と同様の精神疾患に罹患する可能性が低い順に、優先順位を付与する。
【００６７】
候補選定部２５８は、近親性取得部２５４、リスク係数算出部２５５、重み付け点数算出部２５６、優先順位付与部２５７の処理により作成された演算結果を示す演算結果情報２７０を保持する。また、候補選定部２５８は、演算結果情報２７０を参照して、優先順位が高い介護者から順に、患者の介護を行う介護者の候補として選定する。
【００６８】
尚、候補選定部２５８は、演算結果情報２７０を保持していなくても良く、重み付け点数に応じて優先順位を付与するようにしても良い。
【００６９】
問い合わせ部２５９は、候補選定部２５８により選定された介護者に対して、介護を行うことができるか否かを問い合わせる。具体的には、問い合わせ部２５９は、端末装置３００−２に対し、介護者に選定されたことと、介護を行うことが可能であるか否かの問い合わせと、を通知する。
【００７０】
選定結果出力部２６０は、端末装置３００−２からの回答に応じて、介護者の選定要求を行った端末装置３００−１へ、選定された介護者に関する情報を出力する。つまり、本実施形態の選定結果出力部２６０は、複数の介護者候補から、実際に介護を行う介護者を選定した結果を出力する出力部である。
【００７１】
以下に、精神状態算出部２４３、類似性算出部２５３、近親性取得部２５４、重み付け点数算出部２５６、優先順位付与部２５７のそれぞれについて、各部で行われる処理について説明する。
【００７２】
はじめに、精神状態算出部２４３について説明する。図６は、精神状態算出部の処理を説明する図である。図６（Ａ）は、アンケートの一例を示す図であり、図６（Ｂ）は、精神状態点数を説明する図である。
【００７３】
本実施形態の事前処理部２４０は、例えば、患者データベース２１０において、患者に関する情報のみが格納されており、アンケート結果が格納されていない患者に対して、アンケートを実施させる。具体的には、患者情報収集部２４１は、患者に関する情報の入力が行われた端末装置３００に対し、患者によるアンケートの実施を促しても良い。
【００７４】
また、事前処理部２４０は、介護者情報収集部２４２により、介護者に対しても同様に、アンケート結果が格納されていない介護者に対してアンケートを実施させる。具体的には、介護者情報収集部２４２は、介護者に関する情報の入力が行われた端末装置３００に対し、介護者によるアンケートの実施を促しても良い。
【００７５】
その場合、患者情報収集部２４１は、例えば、図６（Ａ）に示すアンケートが表示されるＵＲＬ（Uniform Resource Locator）を端末装置３００に表示させても良い。また、本実施形態では、事前処理部２４０が図６（Ａ）に示すアンケートを表示させるアンケート情報を保持しており、このアンケート情報を端末装置３００に表示させて、アンケートを実施させても良い。
【００７６】
図６（Ａ）に示すアンケートは、例えば、既存のうつ病チェックアンケートである。本実施形態において、患者と介護者に対して実施されるアンケートは、図６（Ａ）に限定されない。アンケートは、精神状態をチェックするためのものであれば、どのようなものを用いても良い。事前処理部２４０は、介護者と患者の両方に、同様のアンケートを実施させる。
【００７７】
図６（Ａ）の例では、設問毎に設けられ回答選択肢から、回答を選択することで、設問毎に点数が対応付けられる。この点数が、アンケートに回答した人の精神状態を示す点数となる。図６（Ａ）の例では、回答選択肢は、うつ状態に近いことを示す選択肢ほど、高い点数が対応付けられている。また、図６（Ａ）では、設問毎に、回答選択肢に対して１点から５点までの点数を対応付けている。したがって、図６（Ａ）のアンケートでは、回答選択肢と対応する点数が高いほど、アンケートを行った対象者はうつ状態に近いことを示す。
【００７８】
図６では、アンケートには設問Ｑ１から設問ＱＮが設けられており、介護者によるアンケートの設問毎の回答をＸ１Ｑとし、患者によるアンケートの設問毎の回答を
介護者のアンケートに対する回答をＸ２Ｑとしている。
【００７９】
具体的には、図６（Ｂ）に示すように、介護者の設問Ｑ１に対する回答Ｘ１Ｑの点数は３である。つまり、この設問Ｑ１によって示される介護者の精神状態を示す点数は３点であることがわかる。
【００８０】
また、患者の設問Ｑ１に対する回答Ｘ２Ｑの点数は５である。つまり、この設問Ｑ１によって示される患者の精神状態を示す点数は５点であることがわかる。
【００８１】
本実施形態の精神状態算出部２４３は、介護者と患者のそれぞれについて、設問毎の点数の平均値を算出し、この平均値を介護者と患者のそれぞれの精神状態点数とする。つまり、本実施形態の精神状態点数は、患者と介護者のそれぞれの精神状態の傾向を示す指標となる値である。
【００８２】
例えば、設問がｎ問であった場合の介護者のアンケート結果に基づく設問毎の点数は、Ｘ１Ｑ＝［Ｘ１Ｑ１，Ｘ１Ｑ２，・・・，Ｘ１Ｑｎ］＝［３，１，・・・，３］となる。したがって、精神状態算出部２４３は、この点数の平均値Ｘ１Ｑａｖｅを、このアンケートに回答した介護者の精神状態点数とし、介護者データベース２２０に格納する。
【００８３】
患者の精神状態点数の算出の方法も、同様である。精神状態算出部２４３は、アンケートに回答した患者の設問毎の点数の平均値Ｘ２Ｑａｖｅを、この患者の精神状態点数とし、患者データベース２１０に格納する。
【００８４】
本実施形態では、患者と介護者に対して、定期的にアンケートを実施し、それぞれの精神状態点数を、アンケートを実施する度に更新することが好ましい。このように、定期的に精神状態点数を更新することで、患者と介護者のそれぞれの精神状態の変化に対応することができる。
【００８５】
また、本実施形態では、例えば、情報処理装置２００が介護者の選定要求を受け付けたときに、要求を行った患者と、介護者抽出部２５２により介護者情報が抽出された介護者とのそれぞれにアンケートを実施させて、精神状態点数を算出しても良い。このようにすれば、介護の依頼を受け付けたときの患者と介護者の精神状態に基づき、介護者を選定することができる。
【００８６】
次に、本実施形態の類似性算出部２５３の処理について説明する。本実施形態の類似性算出部２５３は、患者の精神状態点数と、介護者の精神状態点数とを用いて、患者の精神状態と、介護者の精神状態との傾向の類似の度合いを示す指標となる値を算出する。以下の説明では、この値を類似度（第一の指標）と呼ぶ。また、類似性算出部２５３は、第一の指標を算出する第一の算出部となる。
【００８７】
具体的には、類似性算出部２５３は、以下の式（１）により、類似度を算出する。
【００８８】
類似度Ｙ１＝√（（Ｘ１Ｑ１−Ｘ１Ｑａｖｅ）−（Ｘ２Ｑ１−Ｘ２Ｑａｖｅ））２
＋・・（Ｘ１Ｑｎ−Ｘ１Ｑａｖｅ）−（Ｘ２Ｑｎ−Ｘ２Ｑａｖｅ））２    式（１）
【００８９】
尚、本実施形態では、例えば、類似性が高い場合は類似度Ｙ１の値を３とし、類似性が低い場合は類似度Ｙ１の値を１としても良い。具体的には、類似度Ｙ１に対して所定の閾値を設け、類似度Ｙ１の値が閾値以上であった場合に、患者と介護者の精神状態が類似しているものと判定し、類似度Ｙ１の値を３としても良い。また、類似度Ｙ１の値が閾値より小さい場合に、患者と介護者の精神状態は類似していないと判定し、類似度Ｙ１の値を１としても良い。
【００９０】
また、本実施形態では、介護者と患者とのそれぞれのアンケートの設問毎の回答に応じて類似度を算出するものとしたが、これに限定されない。本実施形態では、例えは、介護者と患者に対してアンケートを定期的に行って、その都度算出された精神状態点数を保持しておき、介護者と患者のそれぞれについて、精神状態点数の変動の傾向を求め、この変動の傾向を用いて類似度を求めても良い。
【００９１】
次に、本実施形態の近親性取得部２５４の処理について説明する。本実施形態の近親性取得部２５４は、介護者と患者との関係の近さを示す値を取得する。以下の説明では、両者の関係の近さを示す指標となる値を近親度（第二の指標）と呼ぶ。また、近親性取得部２５４は、第二の指標を算出する第二の算出部となる。
【００９２】
例えば、うつ病等の精神疾患では、患者と遺伝的に近い親族は、一般の発症率と比較して、２〜３倍の確率でうつ病を発症すると言われている。また、介護者が患者の家族であり、かつ、頻繁に患者と接触している場合には、介護者が患者と同様の精神疾患を患うリスクはさらに高くなる。
【００９３】
このため、本実施形態では、介護者の選定において、患者と介護者との遺伝的な関係と、介護者と患者との接触の頻度にも着目する。
【００９４】
具体的には、近親性取得部２５４は、介護者データベース２２０の介護者情報における属性と、介護履歴の接触回数とに基づき、近親度Ｙ２の値を取得する。近親度Ｙ２は、以下の式（２）によって取得される。
【００９５】
近親度Ｙ２＝属性値Ｙ２１×接触頻度Ｙ２２        式（２）
【００９６】
ここで、属性値Ｙ２１は、介護者が患者の家族であるか否か応じて与えられる値である。本実施形態では、介護者情報の項目「属性」の値が「家族介護者」であった場合、つまり、介護者が患者の家族であった場合、属性値Ｙ２１を「３」とする。また、介護者情報の項目「属性」の値が「家族介護者」以外であった場合、つまり、介護者が患者の家族でない場合、属性値Ｙ２１を「１」とする。
【００９７】
このように、本実施形態の近親性取得部２５４は、項目「属性」の値と対応付いた属性値Ｙ２１を保持している。
【００９８】
尚、本実施形態では、属性値Ｙ２１の値を、介護者が患者の家族であるか否かに基づき、予め設定されるものとしたが、これに限定されない。
【００９９】
例えば、属性値Ｙ２１の値は、介護者が患者の家族であった場合に、患者との続柄に応じて、さらに細かく設定されていても良い。例えば、介護者が患者と同居する家族であっても、義理の家族である場合には、遺伝的な関係はない。したがって、このような場合は、属性値Ｙ２１の値を２等としても良い。また、患者と介護者との親等に応じて設定されても良い。
【０１００】
また、接触頻度Ｙ２２は、介護者情報の項目「介護履歴」の「接触回数」に応じて予め与えられる値である。具体的には、例えば、接触頻度Ｙ２２は、介護者の患者の居所への訪問回数等に応じて与えられる値であっても良い。
【０１０１】
本実施形態では、例えば、介護者が週に１回以上患者と接触している場合には、接触頻度Ｙ２２の値を２とし、それ以外の場合には、接触頻度Ｙ２２の値を１とする。このように、本実施形態の近親性取得部２５４は、項目「介護履歴」の「接触回数」の値と対応付いた属性値Ｙ２１を保持している。
【０１０２】
尚、本実施形態の接触頻度Ｙ２２の値の与え方は、上述した方法に限定されない。接触頻度Ｙ２２の値は、例えば、項目「介護履歴」の値に含まれる患者と介護者との接触時間の長さや、介護の種類（身体に触れる、服薬の介助をする等）等によって、異なる値が与えられても良い。
【０１０３】
次に、リスク係数算出部２５５の処理について説明する。本実施形態のリスク係数算出部２５５は、患者と介護者の類似度Ｙ１と、近親度Ｙ２とに基づき、リスク係数を算出する。本実施形態のリスク係数は、介護者が被介護者と同様の精神疾患を発症するリスクを示す指標（第三の指標）である。具体的には、本実施形態のリスク係数は、以下の式（３）によって算出される。
【０１０４】
リスク係数Ｙ＝類似度Ｙ１×近親度Ｙ２
＝類似度Ｙ１×属性値Ｙ２１×接触頻度Ｙ２２        式（３）
【０１０５】
本実施形態では、このようにしてリスク係数を算出することで、介護者抽出部２５２によって介護者情報が抽出された介護者に対し、患者と同様の疾患を発症するリスクが高い介護者に付与される重みを大きくすることができる。
【０１０６】
例えば、介護者情報が抽出された介護者のうち、患者と精神状態が類似しており、患者の家族であり、且つ、頻繁に患者と接触する介護者のリスク係数Ｙは、
リスク係数Ｙ＝３×３×２＝１８
となる。また、介護者情報が抽出された介護者のうち、患者と精神状態が類似してらず、患者の家族ではなく、且つ、頻繁に患者と接触しない介護者のリスク係数Ｙは、
リスク係数Ｙ＝１×１×１＝１
となる。したがって、本実施形態によれば、介護者の選定の際に介護者に付与される重みを算出する際の重み係数を、患者と同様の疾患を発症するリスクが高い程、大きい値とすることができる。
【０１０７】
次に、本実施形態の重み付け点数算出部２５６の処理について説明する。本実施形態の重み付け点数算出部２５６は、介護者の精神状態点数と、リスク係数とに基づき、介護者毎に付与される重み付け点数を算出する。本実施形態の重み付け点数は、以下の式（４）によって算出される。
【０１０８】
重み付け点数Ｚ＝介護者の精神状態点数Ｘ１Ｑａｖｅ×リスク係数Ｙ      式（４）
【０１０９】
本実施形態では、このように、介護者毎に重み付け点数Ｚを算出する。そして、本実施形態では、優先順位付与部２５７により、介護者毎に重み付け点数Ｚに応じた優先順位を付与する。
【０１１０】
本実施形態の候補選定部２５８は、介護者毎の優先順位に基づき、介護者を選定することで、患者と同様の精神疾患を患う可能性が低い介護者を選定することができる。
【０１１１】
尚、本実施形態の候補選定部２５８は、類似性算出部２５３、近親性取得部２５４、リスク係数算出部２５５、重み付け点数算出部２５６、優先順位付与部２５７の演算結果を演算結果情報２７０として保持しても良い。そして候補選定部２５８は、演算結果情報２７０を参照して、優先順位に基づく介護者の選定を行っても良い。
【０１１２】
以下に、図７を参照して、演算結果情報２７０について説明する。図７は、演算結果情報の一例を示す図である。
【０１１３】
本実施形態の演算結果情報２７０は、情報の項目として、介護者名、精神状態点数、リスク係数Ｙ、類似度Ｙ１、近親度Ｙ２、属性値Ｙ２１、接触頻度Ｙ２２、重み付け点数Ｚ、優先順位を有し、各項目が項目「介護者名」と対応付けられている。また、演算結果情報２７０において、近親度Ｙ２は、属性値Ｙ２１、接触頻度Ｙ２２と対応付けられている。
【０１１４】
尚、図７の例では、演算結果情報２７０において、介護者情報が抽出された介護者を特定する情報として、項目「介護者名」を含むものとしたが、介護者を特定する情報は、項目「介護者ＩＤ」であっても良い。
【０１１５】
図７に示す演算結果情報２７０では、介護者名「ＣＣｃｃ」、「ＤＤｄｄ」、「ＥＥｅｅ」、「ＦＦｆｆ」と対応する介護者情報が抽出された場合を示している。
【０１１６】
ここで、介護者「ＣＣｃｃ」の場合、精神状態点数Ｘ１Ｑａｖｅが５点であり、介護者の選定要求として受け付けた患者ＩＤによって特定される患者との類似度Ｙ１が３であり、属性値Ｙ２１が３であり、接触頻度Ｙ２２が２であり、リスク係数Ｙが１８であり、重み付け点数Ｚが９０である。
【０１１７】
また、介護者「ＥＥｅｅ」の場合、精神状態点数Ｘ１Ｑａｖｅが２点であり、介護者の選定要求として受け付けた患者ＩＤによって特定される患者との類似度Ｙ１が１であり、属性値Ｙ２１が１であり、接触頻度Ｙ２２が１であり、リスク係数Ｙが１であり、重み付け点数Ｚが２である。
【０１１８】
演算結果情報２７０において、同様にして算出された介護者「ＤＤｄｄ」の重み付け点数Ｚは１８であり、介護者「ＦＦｆｆ」の重み付け点数Ｚは６である。
【０１１９】
したがって、４名の介護者のうち、介護者「ＣＣｃｃ」の最も重み付け点数Ｚが最も大きく、患者と同様の精神疾患を患う可能性が最も高く、介護者「ＥＥｅｅ」の重み付け点数Ｚが最も小さく、患者と同様の精神疾患を患う可能性が最も低いことがわかる。
【０１２０】
本実施形態の優先順位付与部２５７は、重み付け点数Ｚが小さい順に、介護者に対して優先順位を付与する。したがって、演算結果情報２７０では、介護者「ＥＥｅｅ」の優先順位が１位となり、介護者「ＣＣｃｃ」の優先順位は最下位の４位となる。
【０１２１】
よって、本実施形態の候補選定部２５８は、介護者「ＥＥｅｅ」から順に、介護者の候補として選定していく。
【０１２２】
本実施形態では、このように介護者の候補を選定することで、介護側が精神疾患を患うリスクを低減させることができる。
【０１２３】
以下に、本実施形態の介護支援処理部２３０の処理について説明する。はじめに、図８及び図９を参照して、介護支援処理部２３０の有する事前処理部２４０による処理について説明する。
【０１２４】
図８は、事前処理を説明する第一のフローチャートである。図８の処理は、患者データベース２１０に患者情報を登録する処理を示している。
【０１２５】
本実施形態の事前処理部２４０は、患者情報収集部２４１により、患者に関する情報の入力を受け付けて、この情報を患者データベース２１０に登録する（ステップＳ８０１）。続いて、患者情報収集部２４１は、患者に対してアンケートを実施し、設問毎の回答をアンケート結果として収集する（ステップＳ８０２）。続いて、事前処理部２４０は、精神状態算出部２４３により、この患者の精神状態点数を算出する（ステップＳ８０３）。精神状態点数の算出の方法は、上述した通りである。
【０１２６】
続いて、事前処理部２４０は、患者情報収集部２４１により、患者に関する情報と、アンケート結果と、精神状態点数とを対応付けた患者情報を患者データベース２１０に格納し（ステップＳ８０４）、処理を終了する。
【０１２７】
図９は、事前処理を説明する第二のフローチャートである。図９の処理は、介護者データベース２２０に介護者情報を登録する処理を示している。
【０１２８】
本実施形態の事前処理部２４０は、介護者情報収集部２４２により、介護者に関する情報の入力を受け付けて、この情報を介護者データベース２２０に登録する（ステップＳ９０１）。続いて、介護者情報収集部２４２は、介護者に対してアンケートを実施し、設問毎の回答をアンケート結果として収集する（ステップＳ９０２）。続いて、事前処理部２４０は、精神状態算出部２４３により、この介護者の精神状態点数を算出する（ステップＳ９０３）。精神状態点数の算出の方法は、上述した通りである。
【０１２９】
続いて、事前処理部２４０は、介護者情報収集部２４２により、介護者に関する情報と、アンケート結果と、精神状態点数とを対応付けた介護者情報を介護者データベース２２０に格納し（ステップＳ９０４）、処理を終了する。
【０１３０】
次に、図１０を参照して、介護支援処理部２３０の有する選定処理部２５０の処理について説明する。図１０は、選定処理部の処理を説明するフローチャートである。
【０１３１】
本実施形態の選定処理部２５０は、入力受付部２５１により、端末装置３００から介護者の選定要求を受け付けたか否かを判定する（ステップＳ１００１）。ステップＳ１００１において、選定要求を受け付けていない場合、選定処理部２５０は、選定要求を受け付けるまで待機する。
【０１３２】
ステップＳ１００１において、選定要求を受け付けた場合、選定処理部２５０は、介護者抽出部２５２により、患者データベース２１０を参照し、選定要求と共に受け付けた患者を特定する情報（患者ＩＤ又は患者名）を含む患者情報を抽出する（ステップＳ１００２）。
【０１３３】
続いて、介護者抽出部２５２は、介護者データベース２２０を参照し、患者情報に含まれる、患者ＩＤと、介護を希望する日時、介護を希望する地域等から、患者情報に適応する介護者情報を抽出する（ステップＳ１００３）。言い換えれば、介護者抽出部２５２は、介護を行うことが可能な介護者の介護者情報を抽出する。
【０１３４】
続いて、選定処理部２５０は、類似性算出部２５３により、抽出された介護者情報から、ある介護者情報を選択する（ステップＳ１００４）。続いて、類似性算出部２５３は、選択した介護者情報に含まれる精神状態点数と、ステップＳ１００２で抽出した患者情報に含まれる精神状態点数とに基づき、類似度Ｙ１を算出する（ステップＳ１００５）。
【０１３５】
続いて、選定処理部２５０は、近親性取得部２５４により、選択された介護者情報に含まれる属性と対応する属性値Ｙ２１と、介護履歴と対応する接触頻度Ｙ２２とから、近親度Ｙ２を取得する（ステップＳ１００６）。続いて、選定処理部２５０は、リスク係数算出部２５５により、類似度Ｙ１と近親度Ｙ２とを用いてリスク係数を算出する（ステップＳ１００７）。
【０１３６】
続いて、選定処理部２５０は、重み付け点数算出部２５６により、リスク係数と、介護者情報に含まれる精神状態点数とを用いて、重み付け点数Ｚを算出する（ステップＳ１００８）。
【０１３７】
続いて、選定処理部２５０は、ステップＳ１００３で抽出された全ての介護者情報について、ステップＳ１００４からステップＳ１００８までの処理を行った否かを判定する（ステップＳ１００９）。ステップＳ１００９において、全ての介護者情報に対して処理を行っていない場合、選定処理部２５０は、ステップＳ１００４へ戻る。
【０１３８】
ステップＳ１００９において、全ての介護者情報に対して処理を行った場合、選定処理部２５０は、優先順位付与部２５７により、介護者情報毎に算出された重み付け点数Ｚに基づく優先順位を付与する（ステップＳ１０１０）。尚、ステップＳ１００５からステップＳ１０１０までの処理で生成された情報は、演算結果情報２７０として、一時的に候補選定部２５８に保持されても良い。
【０１３９】
続いて、選定処理部２５０は、候補選定部２５８により、優先順位が高い介護者情報により特定される介護者を、介護者の候補に選定する（ステップＳ１０１１）。続いて、選定処理部２５０は、問い合わせ部２５９により、ステップＳ１０１１で選定された介護者の介護者情報に含まれる通知先へ、介護依頼を通知する（ステップＳ１０１２）。
【０１４０】
続いて、選定処理部２５０は、入力受付部２５１により、通知先から、介護が可能であることを示す通知を受け付けたか否かを判定する（ステップＳ１０１３）。つまり、選定処理部２５０は、介護候補者として選定された介護者が、介護を行うことを示す通知を受け付けた否かを判定する。
【０１４１】
ステップＳ１０１３において、候補に選定された介護者が、介護を行うことができないことを示す通知を受け付けた場合、選定処理部２５０は、ステップＳ１０１１に戻り、次に優先順位が高い介護者を候補に選定する。
【０１４２】
ステップＳ１０１３において、候補に選定された介護者が介護を行うことを示す通知を受け付けた場合、選定処理部２５０は、選定結果出力部２６０により、依頼を受けた介護を行う介護者に決定したことを示す通知を、介護者の選定要求を行った端末装置３００へ出力し（ステップＳ１０１４）、処理を終了する。このとき、選定結果出力部２６０は、決定された介護者の情報を、選定要求を行った端末装置３００に出力しても良い。
【０１４３】
以下に、介護者の選定要求を行った場合の端末装置３００の表示例について説明する。図１１は、表示例を示す第一の図である。図１１に示す表示例は、端末装置３００−１に表示される画面の例である。
【０１４４】
端末装置３００−１は、介護を依頼する側の端末装置であり、図１１の例では、端末装置３００−１に、介護を依頼するための画面（介護者の選定要求を行うための画面）１０１が表示されている。
【０１４５】
画面１０１には、患者に関する情報が入力された入力欄１０２と、依頼を行うための操作ボタン１０３とが表示されている。
【０１４６】
図１１の例では、この状態で操作ボタン１０３を操作することで、入力欄１０２を条件とした患者に対する介護者の選定要求が端末装置３００−１から情報処理装置２００へ送信される。
【０１４７】
図１２は、表示例を示す第二の図である。図１２に示す表示例は、端末装置３００−２に表示される画面の例である。
【０１４８】
端末装置３００−２は、介護を行う側の端末装置であり、図１２の例では、端末装置３００−２に、介護者の候補に選定された介護者に対して、介護を行うことができる否かを問い合わせる画面１１１が表示されている。
【０１４９】
画面１１１には、端末装置３００−１の画面１０１で入力された患者と、介護の条件が表示される表示欄１１２と、介護を行うことができるか否かを問い合わせるメッセージが表示された表示欄１１３と、操作ボタン１１４、１１５と、が表示されている。
【０１５０】
画面１１１において、操作ボタン１１４が操作されると、端末装置３００−２は、選定された介護者が介護を行うことができることを示す通知を情報処理装置２００へ送信する。また、画面１１１において、操作ボタン１１５が操作されると、端末装置３００−２は、選定された介護者が介護を行うことができないことを示す通知を情報処理装置２００へ送信する。
【０１５１】
以上のように、本実施形態によれば、介護者と、被介護者との精神状態の類似の度合いを示す指標と、介護者と被介護者との関係の近さを示す指標とに基づき、介護者を選定することができる。このため、例えば、被介護者と精神状態が類似しており、特に血縁関係にある介護者のように、被介護者の精神疾患に感応して被介護者と同様の精神疾患を発症する可能性が高い介護者が選定されることを回避できる。
【０１５２】
このため、本実施形態によれば、介護側が精神疾患を患うリスクを低減させることができる。
【０１５３】
以下の本実施形態の利用シーンの一例について説明する。
【０１５４】
家族や友人が精神疾患を煩い、介護を依頼する場合等がある。この場合、依頼者は、介護の依頼を、例えば、介護ステーションのケアマネージャ（有資格者）等に行う。ケアマネージャは、依頼を受けると、依頼者に対して各種制度の説明や介護施設の紹介等を行うことが想定される。この場合には、ケアマネージャが、介護者の選定要求を行う側となって、本実施形態によって選定された介護者を依頼者に提案すれば良い。
【０１５５】
言い換えれば、この場合には、ケアマネージャが、端末装置３００により、被介護者に関する情報と介護の条件等を情報処理装置２００に対して送信し、情報処理装置２００から介護者が決定したことを示す通知を受けて、その結果を依頼者に提案すれば良い。
【０１５６】
また、他の利用シーンとしては、例えば、依頼者が、自治体や国のポータルサイト等を提供しているサーバに対して介護者の選定要求を行うと、このサーバが情報処理装置２００に対して、介護者の選定要求を行う。そして、サーバが、情報処理装置２００から介護者が決定したことを示す通知を受けて、その通知を依頼者へ通知しても良い。
【０１５７】
さらに、他の利用シーンとして、依頼者が、自身の端末装置３００から、直接、情報処理装置２００に対して介護者の選定要求を行っても良い。
【０１５８】
また、本実施形態の情報処理装置２００は、依頼者から介護者の選定要求を受け付けた場合に処理を実行するだけでなく、例えば、患者データベース２１０に格納された患者の介護を希望する時間帯等にあわせて、定期的に処理を実行し、介護者を選定してその結果を依頼者に通知しても良い。
【０１５９】
開示の技術では、以下に記載する付記のような形態が考えられる。
（付記１）
被介護者の精神状態の傾向を示す指標を含む被介護者情報と、介護者候補の精神状態の傾向を示す指標を含む介護者情報とを参照し、前記被介護者の精神状態と前記介護者候補の精神状態の傾向の類似の度合いを示す第一の指標を算出する処理と、
前記介護者情報を参照し、前記被介護者と前記介護者候補の関係の近さを示す第二の指標を算出する処理と、
前記第一の指標と前記第二の指標とに基づき、複数の前記介護者候補から、介護を行う介護者を選定し、選定結果を出力する処理と、
をコンピュータに実行させる介護支援プログラム。
（付記２）
前記介護者情報は、
前記介護者と前記被介護者との血縁関係の有無を示す情報と、前記被介護者に対する前記介護者の介護履歴を示す情報とを含み、
前記第二の指標は、
前記被介護者と前記介護者との血縁関係の有無と、前記被介護者と前記介護者との接触頻度とに基づき算出される、付記１記載の介護支援プログラム。
（付記３）
前記第一の指標と、前記第二の指標とを用いて、前記介護者が前記被介護者と同様の精神疾患を発症するリスクの高さを示す第三の指標を算出する処理と、
前記介護者候補の精神状態の傾向を示す指標と、前記第三の指標とに基づき、前記介護者候補毎に重み付けを行う処理と、
前記重み付けにより付与された重みに応じて、前記介護者候補に優先順位を付与する処理と、
前記優先順位に基づき、前記介護者を選定する、処理を前記コンピュータに実行させる、付記１又は２記載の介護支援プログラム。
（付記４）
前記被介護者の精神状態の傾向を示す指標と、前記介護者候補の精神状態の傾向を示す指標とは、前記被介護者と前記介護者候補とに対して、同一のアンケートを実施した結果に基づき算出される、付記１乃至３の何れか一項に記載の介護支援プログラム。
（付記５）
前記アンケートは、
前記被介護者の精神疾患と関連した精神状態に関する複数の設問を含み、
前記被介護者の精神状態の傾向を示す指標と、前記介護者候補の精神状態の傾向を示す指標とは、前記設問毎の回答によって示される前記設問毎の点数を平均した値である、付記４記載の介護支援プログラム。
（付記６）
コンピュータによる介護支援方法であって、該コンピュータが、
被介護者の精神状態の傾向を示す指標を含む被介護者情報と、介護者候補の精神状態の傾向を示す指標を含む介護者情報とを参照し、前記被介護者の精神状態と前記介護者候補の精神状態の傾向の類似の度合いを示す第一の指標を算出し、
前記介護者情報を参照し、前記被介護者と前記介護者候補の関係の近さを示す第二の指標を算出し、
前記第一の指標と前記第二の指標とに基づき、複数の前記介護者候補から、介護を行う介護者を選定し、選定結果を出力する、介護支援方法。
（付記７）
被介護者の精神状態の傾向を示す指標を含む被介護者情報と、介護者候補の精神状態の傾向を示す指標を含む介護者情報とを参照し、前記被介護者の精神状態と前記介護者候補の精神状態の傾向の類似の度合いを示す第一の指標を算出する第一の算出部と
前記介護者情報を参照し、前記被介護者と前記介護者候補の関係の近さを示す第二の指標を算出する第二の算出部と、
前記第一の指標と前記第二の指標とに基づき、複数の前記介護者候補から、介護を行う介護者を選定し、選定結果を出力する出力部と、を有する情報処理装置。
【０１６０】
本発明は、具体的に開示された実施形態に限定されるものではなく、特許請求の範囲から逸脱することなく、種々の変形や変更が可能である。
【符号の説明】
【０１６１】
１００  介護支援システム
２００  情報処理装置
２１０  患者データベース
２２０  介護者データベース
２３０  介護支援処理部
２４０  事前処理部
２４１  患者情報収集部
２４２  介護者情報収集部
２４３  精神状態算出部
２５０  選定処理部
２５３  類似性算出部
２５４  近親性取得部
２５５  リスク係数算出部
２５６  重み付け点数算出部
２５７  優先順位付与部
２７０  演算結果情報
３００  端末装置
【図１】
2019096009.tif 000003
【図２】
2019096009.tif 000004
【図３】
2019096009.tif 000005
【図４】
2019096009.tif 000006
【図５】
2019096009.tif 000007
【図６】
2019096009.tif 000008
【図７】
2019096009.tif 000009
【図８】
2019096009.tif 000010
【図９】
2019096009.tif 000011
【図１０】
2019096009.tif 000012
【図１１】
2019096009.tif 000013
【図１２】
2019096009.tif 000014